(57)【要約】【課題】グループ制御／パターン制御の制御アドレスの単位で多重伝送系の連動を可能にした遠隔監視制御システムを提供する。【解決手段】各多重伝送系Ｎ１…には、ローカルバスＬ２を介してＮＣＵ１０との間で通信を行うＬＩＵ６を設けてある。ＬＩＵ６は、監視用端末器２から中央制御装置１へ送信される操作データを受信すると、受信した操作データをＮＣＵ１０に送信させ、さらにＮＣＵ１０から送信された連動制御データを受信すると、受信した連動制御データを中央制御装置１へ返信させる。ＮＣＵ１０には、グループ制御／パターン制御の制御アドレス単位で各多重伝送系Ｎ１…の連動関係を設定したテーブルが登録されており、ＬＩＵ６から操作データを受信すると、上記テーブルをもとに連動関係が設定された制御アドレスを連動制御データとして対応する多重伝送系Ｎ１…のＬＩＵ６に送信し連動動作を行わせる。【選択図】      図１
2004295432.tif 000002
【特許請求の範囲】
【請求項１】
中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、
伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築するとともに、通信線を介してローカル制御装置との間で通信を行う通信回路部を備えたネットワークコントローラを通信線に接続し、
前記ローカル制御装置に、多重伝送通信部を用いて当該ローカル制御装置の属する多重伝送系の監視用端末器から中央制御装置へ送信される操作データを受信すると、受信した操作データをネットワーク通信部からネットワークコントローラへ送信させるとともに、ネットワーク通信部を用いてネットワークコントローラから送信された連動制御データを受信すると、受信した連動制御データを多重伝送信号に設けた返信待機期間中に監視データとして中央制御装置へ返信させる第１通信制御部を設け、
前記ネットワークコントローラに、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部が何れかの多重伝送系のローカル制御装置から操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とする遠隔監視制御システム。
【請求項２】
中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、
伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築し、
何れか１つの多重伝送系のローカル制御装置をネットワークの親機、他の多重伝送系のローカル制御装置をネットワークの子機として、
子機のローカル制御装置には、多重伝送通信部を用いて当該ローカル制御装置の属する多重伝送系の監視用端末器から中央制御装置へ送信される操作データを受信すると、受信した操作データをネットワーク通信部から親機のローカル制御装置へ送信させるとともに、ネットワーク通信部を用いて親機のローカル制御装置から送信された連動制御データを受信すると、受信した連動制御データを多重伝送信号に設けた返信待機期間中に監視データとして中央制御装置へ返信させる第１通信制御部を設け、
親機のローカル制御装置には、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部及び多重伝送通信部が操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とする遠隔監視制御システム。
【請求項３】
通信線を介してネットワークコントローラとの間で通信を行う通信部と、複数の多重伝送系の負荷を１つのまとまりとした負荷群を一括して操作するための一括操作スイッチと、前記負荷群の動作表示用の動作表示部と、前記一括操作スイッチの操作データを通信部からネットワークコントローラへ送信させるとともに、通信部がネットワークコントローラから受信した前記負荷群の動作状態を動作表示部に表示させる制御部と、を具備したマスタスイッチを通信線に接続して成ることを特徴とする請求項１記載の遠隔監視制御システム。
【請求項４】
複数の多重伝送系の負荷を１つのまとまりとした負荷群を一括して操作するためのタッチスイッチが設けられ、画面上に前記負荷群の動作状態を表示するタッチパネルをネットワークコントローラに設けて成ることを特徴とする請求項１記載の遠隔監視制御システム。
【請求項５】
親機のローカル制御装置が属する多重伝送系に、複数の多重伝送系の負荷を１つのまとまりとした負荷群を一括して操作するための一括操作スイッチの操作入力を監視する監視用端末器を設けるとともに、該監視用端末器とアドレスが対応付けられたダミーの制御用端末器を設け、一括操作スイッチの接続された監視用端末器から、一括操作スイッチの操作データが多重伝送信号に設けた返信待機期間中に監視データとして中央制御装置へ返信されると、親機のローカル制御装置では、多重伝送通信部がこの操作データを受信し、記憶部に記憶されたテーブルをもとに連動関係が設定された制御アドレスを前記連動制御データとして対応する多重伝送系のローカル制御装置に通信回路部から送信させ、さらに親機の属する多重伝送系の制御用端末器および子機のローカル制御装置から前記連動制御データに対する制御結果を受信すると、前記負荷群の動作状況に応じてダミーの制御用端末器に対する制御要求を多重伝送信号に設けた返信待機期間中に監視データとして中央制御装置へ返信させ、中央制御装置は、この制御要求に基づいて作成した制御アドレスをダミーの制御用端末器に送信し、当該制御アドレスに対する制御結果を監視データとして制御用端末器から受信すると、一括操作スイッチの接続された監視用端末器に対して、負荷群の動作表示を行わせるための制御データを送信することを特徴とする請求項２記載の遠隔監視制御システム。
【請求項６】
上記記憶部には、連動する制御アドレスのアドレス番号として異なるアドレス番号を設定可能としたことを特徴とする請求項１乃至５の何れか１つに記載の遠隔監視制御システム。
【発明の詳細な説明】
【０００１】
【発明の属する技術分野】
本発明は、遠隔監視制御システムに関するものである。
【０００２】
【従来の技術】
従来から、時分割多重伝送で負荷の制御及び監視を行なう遠隔監視制御システムがある。この遠隔監視制御システムは図１３に示すように中央制御装置１と、壁スイッチのような操作スイッチ４の操作監視を行なう複数の監視用端末器２と、照明負荷のような負荷５を制御する複数の制御用端末器３とを２線式の伝送線Ｌ１を介して接続して構成される。
【０００３】
このような遠隔監視制御システムでは、伝送制御装置４１から図１４（ａ）に示すような形式を有した伝送信号Ｖｓを送出することにより、各端末器４２，４３との間でデータを授受する。すなわち、伝送信号Ｖｓは、信号の送出開始を示すスタートパルスＳＴ、信号のモードを示すモードデータＭＤ、アドレスデータＡＤ、負荷を制御する制御データＣＤ、伝送誤りを検知するチェックサムデータＣＳ、返信データの返信待機期間を設定する返信信号期間ＷＴよりなる複極（±２４Ｖ）の時分割多重信号であり、パルス幅変調によってデータが伝送されるようになっている。
【０００４】
各端末器２，３では、それぞれ伝送線Ｌ１を介して受信した伝送信号Ｖｓにより伝送されたアドレスデータＡＤがあらかじめ設定されている自己のアドレスに一致すると、伝送信号Ｖｓから制御データＣＤを取り込むとともに、伝送信号Ｖｓの返信信号期間ＷＴにデータを電流モード信号（伝送線Ｌ１を適当な低インピーダンスを介して短絡することにより送出される信号）として返信する。
【０００５】
中央制御装置１から所望の端末器２，３にデータを伝送する場合には、モードデータＭＤを制御モードとし、端末器２，３のアドレスをアドレスデータＡＤとする伝送信号Ｖｓを送出し、この伝送信号Ｖｓを伝送線Ｌ１に送出すれば、アドレスデータＡＤに一致する端末器２，３が制御データＣＤを受け取り、制御データＣＤにパリティビットを付加した信号を返信信号期間ＷＴに返信する。中央制御装置１では送出した信号と返信信号期間ＷＴにおける受信信号との一致によって制御データＣＤが所望の端末器２，３に伝送されたことを確認する。監視用端末器２や制御用端末器３は受け取った制御データＣＤに従って制御動作を行う。
【０００６】
一方、中央制御装置１は常時はモードデータＭＤをダミーモード或いは常時ポーリングとしてダミー用のアドレス又は接続されている全端末器のアドレスに伝送信号Ｖｓを一定時間間隔で送出しており、端末器２，３が中央制御装置１に対して何らかの情報を伝送しようとするときには、ダミーモード或いはポーリング中の伝送信号ＶｓのスタートパルスＳＴに同期させて図１４（ｂ）のような割込信号Ｖｉを発生させる。このとき、端末器２，３は割込フラグを設定して中央制御装置１との以後の情報授受に備える。中央制御装置１では割込信号を受信すると、モードデータＭＤを割込ポーリングモードとし、且つアドレスデータＡＤの上位の半数のビット（アドレスデータＡＤを８ビットとすれば上位４ビット）を順次増加させながら伝送信号を送出する。割込信号Ｖｉを発生した端末器２，３では、割込ポーリングモードの伝送信号Ｖｓに含まれるアドレスデータＡＤの上位４ビットが自己のアドレスの上位４ビットに一致するときに、返信信号期間ＷＴにアドレスの下位の半数のビットを中央制御装置１に返信する。このように、中央制御装置１は割込信号Ｖｉを発生した端末器２，３を１６個ずつまとめて探すので、比較的短い時間で端末器２，３を発見することができる。中央制御装置１が割込信号を発生した端末器２，３のアドレスを獲得すると、モードデータＭＤを監視モードとし、獲得したアドレスデータＡＤを持つ伝送信号Ｖｓを伝送線Ｌ１に送出し、これに対して端末器２，３は伝送しようとする情報を返信信号期間ＷＴに返信するのである。最後に、中央制御装置１は割込信号を発生した端末器２，３に対して割込リセットを指示する信号を送出し、端末器２，３の割込フラグを解除する。以上のようにして、端末器２，３から中央制御装置１への情報伝送は、中央制御装置１から端末器２，３への４回の信号伝送（ダミーモード、割込ポーリングモード、監視モード、割込リセット）によって完了する。中央制御装置１が所望の端末器２，３の動作状態を知ろうとするときには、モードデータＭＤを監視データとした伝送信号を送出するだけでよい。
【０００７】
而して、中央制御装置１では、監視用端末器２に設けた操作スイッチ４が操作されると、監視用端末器２から返信された監視データに基づいて、操作スイッチ４との対応関係があらかじめ設定されている制御用端末器３に伝送する制御データＣＤを生成し、その制御データＣＤを含む伝送信号Ｖｓを伝送線Ｌ１に送出することによって、対応する制御用端末器３に制御データＣＤを伝送し、制御用端末器３により負荷５の動作を制御させる。
【０００８】
また、制御用端末器３は負荷５の動作状態を示す監視データを中央制御装置１へ返信させるようになっており、中央制御装置１はこの監視データに基づいて対応する監視用端末器２に対して操作スイッチ４に付設している動作モニタ用のＬＥＤ（図示せず）を点灯／消灯させる制御データＣＤを伝送し、この制御データＣＤを受け取った監視用端末器２では制御データに基づいて対応する操作スイッチ４に付設してある動作モニタ用のＬＥＤを点灯又は消灯させることにより、負荷５のオン状態又はオフ状態を表示する。
【０００９】
ところで、上述のような多重伝送系を複数構築し、複数の多重伝送系を上位システムに接続して、上位システムから各多重伝送系の監視、制御を行ったり、複数の多重伝送系を連動して動作させるような大規模システムでは、図１５に示すように、複数（図１５の例では３系統）の多重伝送系Ｎ１〜Ｎ３に、多重伝送系のインターフェース機能と、ローカルバスネットワークとのインターフェース機能とを具備したローカル制御装置（以下、ＬＩＵと称す。）６をそれぞれ設け、ローカルバスネットワークを制御するとともに、上位のホスト機器２０との間で通信を行うインターフェース機能を備えたネットワークコントローラ（以下、ＮＣＵと称す。）１０と、各多重伝送系Ｎ１〜Ｎ３のＬＩＵ６とをローカルバスＬ２を介して接続してローカルバスネットワークを構築している。なお、ＮＣＵ１０と各ＬＩＵ６との間ではＲＳ４８５方式で通信を行っており、ＮＣＵ１０とホスト機器２０との間ではＲＳ２３２Ｃ方式で通信を行っている。また、図中の３０は、各多重伝送系のＬＩＵ６とＮＣＵ１０に交流の動作電圧（例えばＡＣ２４Ｖ）を供給する電源ユニットである。
【００１０】
この従来システムでは、下位ネットワークを構成する多重伝送系Ｎ１〜Ｎ３に連動関係を持たせて、複数の多重伝送系Ｎ１〜Ｎ３に亘るパターン制御・グループ制御を可能としている。ＮＣＵ１０には多重伝送系Ｎ１〜Ｎ３の連動関係を示すデータが予め登録されており、連動関係の指定は各多重伝送系Ｎ１〜Ｎ３に割り当てた番号単位で行っている。図１６（ａ）〜（ｃ）は多重伝送系Ｎ１〜Ｎ３の相互の連動関係を示しており、多重伝送系Ｎ１と多重伝送系Ｎ２とが連動して動作するとともに、多重伝送系Ｎ２と多重伝送系Ｎ３とが連動して動作するように設定されている。例えば多重伝送系Ｎ２において何れかのグループＧ１…のグループ制御が行われると、多重伝送系Ｎ１，Ｎ３においても同じグループのグループ制御が行われる。また、多重伝送系Ｎ１又はＮ３で何れかのグループＧ１…のグループ制御が行われると、多重伝送系Ｎ２において同じグループのグループ制御が行われる。
【００１１】
ここで、複数の多重伝送系Ｎ１〜Ｎ３の連動動作を図１７を参照して説明する。多重伝送系Ｎ２において、グループ制御又はパターン制御の操作スイッチ４が操作されて、監視用端末器２（ＳＷ）から割込信号Ｖｉが発生すると、中央制御装置１（ＣＰＵ）が割込信号Ｖｉを発生した監視用端末器２から制御要求を監視データとして受け取り（図中のａ）、割込信号Ｖｉを発生した監視用端末器２に対応する制御用端末器３（Ｔ／Ｕ）へ制御データを伝送信号Ｖｓにより送出する（図中のｂ）。制御用端末器３は伝送信号Ｖｓを受信すると、伝送信号Ｖｓに含まれる制御データに基づいて負荷５を制御するとともに、負荷５の動作状態を示す監視データを中央制御装置１へ返信させる（図中のｃ）。中央制御装置１は、制御用端末器３から返送された監視データに基づいて、対応する監視用端末器２に対して操作スイッチ４に付設した動作モニタ用のＬＥＤを点灯／消灯させる制御データを伝送し（図中のｄ）、この制御データを受け取った監視用端末器２では、制御データに基づいてＬＥＤを点灯又は消灯させることにより、負荷５のオン状態又はオフ状態を表示する。ここで、ＬＩＵ６は、監視用端末器２から中央制御装置１に出力される制御要求を監視しており、監視用端末器２からの制御要求（図中のａ）を確認すると、この制御要求をＮＣＵ１０に送信する（図中のｅ）。上述のようにＮＣＵ１０には多重伝送系Ｎ１〜Ｎ３の相互の連動関係が規定されており、多重伝送系Ｎ２のＬＩＵ６からグループ制御又はパターン制御の制御要求を受け取ると、連動関係が設定された多重伝送系Ｎ１，Ｎ３のＬＩＵ６に対してグループ制御又はパターン制御の制御要求を送信する（図中のｆ，ｇ）。各多重伝送系Ｎ１，Ｎ３のＬＩＵ６は、ＮＣＵ１０から制御要求を受信すると伝送線Ｌ１に対して割込信号Ｖｉを送出する。中央制御装置１は、各端末器２，３と同様の伝送手順を経て、割込信号Ｖｉを発生したＬＩＵ６からグループ制御又はパターン制御の制御要求を監視データとして受け取り（図中のｈ，ｌ）、対応する制御用端末器３へ伝送信号Ｖｓにより制御データを送出する（図中のｉ，ｍ）。制御用端末器３は伝送信号Ｖｓを受信すると、伝送信号Ｖｓに含まれる制御データに基づいて負荷５を制御するとともに、負荷５の動作状態を示す監視データを中央制御装置１へ返信させる（図中のｊ，ｎ）。そして、中央制御装置１は、制御用端末器３から返送された監視データに基づいて、対応する監視用端末器２に対して操作スイッチ４に付設した動作モニタ用のＬＥＤを点灯／消灯させる制御データを伝送し（図中のｋ，ｏ）、この制御データを受け取った監視用端末器２では制御データに基づいて操作スイッチ４に付設したＬＥＤを点灯又は消灯させることにより、負荷５のオン状態又はオフ状態を表示する。
【００１２】
【特許文献１】
特開平５−３００５７８号公報（第５頁−第６頁、及び、第９図）
【００１３】
【発明が解決しようとする課題】
上述した遠隔監視制御システムでは、ＮＣＵ１０に、多重伝送系Ｎ１…の連動関係を伝送系の単位で設定しているため、ある多重伝送系Ｎ２のグループ制御・パターン制御の制御アドレスに対して、連動する伝送系を同じ伝送系にしか設定できなかった。また、連動先の多重伝送系の負荷群を、連動元の多重伝送系の制御アドレスと同じ制御アドレスに設定しなければならなかった。
【００１４】
また大規模なシステムでは、限られたアドレスを無駄なく使用するために、同じエリアに複数の多重伝送系の端末器が設置される場合があり、同じエリアに設置された異なる多重伝送系の端末器を連動して動作させる際には、これらの端末器のグループ制御／パターン制御の制御アドレスを同じアドレスに設定しなければならないが、制御アドレスの割り付け時に連動関係を考慮して割り付けを行わなければならないため、アドレスの割り付け作業が複雑になるという問題があり、場合によっては同一の制御アドレスを割り付けることができなくなる可能性もあった。
【００１５】
本発明は上記問題点に鑑みて為されたものであり、その目的とするところは、グループ制御／パターン制御の制御アドレスの単位で多重伝送系の連動を可能にした遠隔監視制御システムを提供することにある。
【００１６】
【課題を解決するための手段】
上記目的を達成するために、請求項１の発明では、中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築するとともに、通信線を介してローカル制御装置との間で通信を行う通信回路部を備えたネットワークコントローラを通信線に接続し、前記ローカル制御装置に、多重伝送通信部を用いて当該ローカル制御装置の属する多重伝送系の監視用端末器から中央制御装置へ送信される操作データを受信すると、受信した操作データをネットワーク通信部からネットワークコントローラへ送信させるとともに、ネットワーク通信部を用いてネットワークコントローラから送信された連動制御データを受信すると、受信した連動制御データを多重伝送信号に設けた返信待機期間中に監視データとして中央制御装置へ返信させる第１通信制御部を設け、前記ネットワークコントローラに、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部が何れかの多重伝送系のローカル制御装置から操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とする。
【００１７】
請求項２の発明では、中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築し、何れか１つの多重伝送系のローカル制御装置をネットワークの親機、他の多重伝送系のローカル制御装置をネットワークの子機として、子機のローカル制御装置には、多重伝送通信部を用いて当該ローカル制御装置の属する多重伝送系の監視用端末器から中央制御装置へ送信される操作データを受信すると、受信した操作データをネットワーク通信部から親機のローカル制御装置へ送信させるとともに、ネットワーク通信部を用いて親機のローカル制御装置から送信された連動制御データを受信すると、受信した連動制御データを多重伝送信号に設けた返信待機期間中に監視データとして中央制御装置へ返信させる第１通信制御部を設け、親機のローカル制御装置には、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部及び多重伝送通信部が操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とする。
【００１８】
請求項３の発明では、請求項１の発明において、通信線を介してネットワークコントローラとの間で通信を行う通信部と、複数の多重伝送系の負荷を１つのまとまりとした負荷群を一括して操作するための一括操作スイッチと、前記負荷群の動作表示用の動作表示部と、前記一括操作スイッチの操作データを通信部からネットワークコントローラへ送信させるとともに、通信部がネットワークコントローラから受信した前記負荷群の動作状態を動作表示部に表示させる制御部と、を具備したマスタスイッチを通信線に接続して成ることを特徴とする。
【００１９】
請求項４の発明では、請求項１の発明において、複数の多重伝送系の負荷を１つのまとまりとした負荷群を一括して操作するためのタッチスイッチが設けられ、画面上に前記負荷群の動作状態を表示するタッチパネルをネットワークコントローラに設けて成ることを特徴とする。
【００２０】
請求項５の発明では、請求項２の発明において、親機のローカル制御装置が属する多重伝送系に、複数の多重伝送系の負荷を１つのまとまりとした負荷群を一括して操作するための一括操作スイッチの操作入力を監視する監視用端末器を設けるとともに、該監視用端末器とアドレスが対応付けられたダミーの制御用端末器を設け、一括操作スイッチの接続された監視用端末器から、一括操作スイッチの操作データが、多重伝送信号に設けた返信待機期間中に、監視データとして中央制御装置へ返信されると、親機のローカル制御装置では、多重伝送通信部がこの操作データを受信し、記憶部に記憶されたテーブルをもとに連動関係が設定された制御アドレスを前記連動制御データとして対応する多重伝送系のローカル制御装置に通信回路部から送信させ、さらに子機のローカル制御装置から前記連動制御データに対する制御結果を受信すると、前記負荷群の動作状況に応じてダミーの制御用端末器に対する制御要求を多重伝送信号に設けた返信待機期間中に監視データとして中央制御装置へ返信させ、中央制御装置は、この制御要求に基づいて作成した制御アドレスをダミーの制御用端末器に送信し、当該制御アドレスに対する制御結果を監視データとして制御用端末器から受信すると、一括操作スイッチの接続された監視用端末器に対して、負荷群の動作表示を行わせるための制御データを送信することを特徴とする。
【００２１】
請求項６の発明では、請求項１乃至５の何れか１つの発明において、上記記憶部には、連動する制御アドレスのアドレス番号として異なるアドレス番号を設定可能としたことを特徴とする。
【００２２】
【発明の実施の形態】
以下に本発明の実施の形態を図面に基づいて説明する。
【００２３】
（実施形態１）
図１に本実施形態の遠隔監視制御システムの概略構成図を示す。本システムでは複数（例えば３系統）の多重伝送系Ｎ１〜Ｎ３を構築してあり、各多重伝送系Ｎ１〜Ｎ３は、中央制御装置１と、壁スイッチのような操作スイッチ４の操作監視を行なう複数の監視用端末器２と、照明負荷のような負荷５を制御する複数の制御用端末器３と、多重伝送系のインターフェース機能及びローカルバスネットワークとのインターフェース機能を具備したＬＩＵ６とを２線式の伝送線Ｌ１を介して接続して構成される。また、ローカルバスネットワークを制御するとともに、各多重伝送系Ｎ１〜Ｎ３の負荷５の制御及び監視を行う上位のホスト機器２０との間で通信を行うインターフェース機能を備えたＮＣＵ１０と、各多重伝送系Ｎ１〜Ｎ３のＬＩＵ６とをローカルバス（通信線）Ｌ２を介して接続してローカルバスネットワークを構築している。また、ＮＣＵ１０には、壁スイッチタイプの複数のマスタスイッチ（以下、ＭＳＷと称す。）１１がローカルバスＬ２を介して接続されている。
【００２４】
ＬＩＵ６は、図２に示すように、制御部（第１通信制御部）６ａと、伝送線Ｌ１を介して中央制御装置１との間で多重伝送通信を行う多重伝送送受信部（多重伝送通信部）６ｂと、例えばＲＳ４８５に準拠した通信インターフェースからなりローカルバスＬ２を介してＮＣＵ１０との間で通信を行う通信回路部（ネットワーク通信部）６ｃと、グループ制御／パターン制御の制御アドレスや負荷５の動作状態などを記憶するメモリ６ｄとで構成される。
【００２５】
ＮＣＵ１０は、図３に示すように、制御部（第２通信制御部）１０ａと、例えばＲＳ４８５に準拠した通信インターフェースからなりローカルバスＬ２を介してＬＩＵ６との間で通信を行う通信回路部１０ｂと、例えばＲＳ２３２Ｃに準拠した通信インターフェースからなり上位のホスト機器２０との間で通信を行う通信回路部１０ｃと、連動関係を設定する設定器４０との間で通信を行う通信回路部１０ｄと、多重伝送系Ｎ１…の連動関係をグループ制御／パターン制御のアドレス単位で設定したテーブルや、多重伝送系Ｎ１…の負荷５の動作状態や、動作プログラムを記憶するメモリ（記憶部）１０ｅとで構成される。
【００２６】
またＭＳＷ１１は、図４に示すように、制御部１１ａと、例えばＲＳ４８５に準拠した通信インターフェースからなりローカルバスＬ２を介してＬＩＵ６との間で通信を行う通信回路部（通信部）１１ｂと、各多重伝送系Ｎ１…の負荷をオン／オフするための複数の一括操作スイッチ１２のオン／オフ操作を監視するスイッチ入力監視部１１ｃと、各一括操作スイッチ１２に付設した動作モニタ用のＬＥＤ（動作表示部）１２ａの点灯／消灯を制御するＬＥＤ駆動部１１ｄと、多重伝送系Ｎ１…の負荷５の動作状態を記憶するメモリ１１ｅとで構成される。尚、ＭＳＷ１１は壁スイッチタイプであり、多重伝送系Ｎ１…の監視用端末器２と同様の外観を有するものを使用しているので、多重伝送系Ｎ１…と上位のネットワークとの区分を使用者に感じさせることがない。
【００２７】
ここで、ＮＣＵ１０には、ＮＣＵ１０に接続されたホスト機器２０又は設定器４０から連動関係のテーブルデータを設定することができ、ホスト機器２０又は設定器４０から入力されるテーブルデータを通信回路部１０ｃ又は１０ｄが受信すると、通信回路部１０ｃ，１０ｄが受信したテーブルデータを制御部１０ａがメモリ１０ｅに記憶させる。図５（ａ）は多重伝送系Ｎ１…の連動関係の一例を示しており、図中の枠で囲った範囲ａ１〜ａ３が連動動作を行う連動範囲を示している。例えばａ１の連動範囲は、多重伝送系Ｎ１〜Ｎ３の何れかでグループ制御の制御アドレス（グループアドレス）Ｇ１の操作が発生すると、他の多重伝送系でもグループアドレスＧ１の制御が連動して行われることを示している。また、ａ２の連動範囲は、多重伝送系Ｎ２，Ｎ３のどちらか一方でグループアドレスＧ２の操作が発生すると、他方の多重伝送系でもグループアドレスＧ２の制御が連動して行われることを示し、ａ３の連動範囲は多重伝送系Ｎ１，Ｎ２のどちらか一方でグループアドレスＧ３の操作が発生すると、他方の多重伝送系でもグループアドレスＧ３の制御が連動して行われることを示している。なお、制御アドレスの単位で連動範囲を設定する際に、一部の多重伝送系で連動範囲の指定が重複するように連動範囲を設定しても良く、図５（ｂ）に示すようにグループアドレスＧ３について、多重伝送系Ｎ１，Ｎ２の組が連動するとともに、多重伝送系Ｎ２，Ｎ３の組が連動するように設定しても良い。このように、本実施形態では、複数の多重伝送系Ｎ１…の負荷５を連動して動作させる際に、制御アドレスの単位で連動関係を規定したテーブルをＮＣＵ１０のメモリ１０ｅに記憶させているので、多重伝送系Ｎ１…の単位で連動関係を設定する場合に比べて、連動する負荷５の組み合わせをさらに細かく設定でき、連動のパターンを増やすことができる。
【００２８】
次に本システムの動作を以下に簡単に説明する。尚、各多重伝送系Ｎ１…の動作は従来技術で説明した多重伝送系Ｎ１…の動作と同様であるので、その説明は省略し、多重伝送系Ｎ１…の連動動作について説明を行う。ここで、ＮＣＵ１０には図５（ａ）に示すような連動関係が設定されているものとする。
【００２９】
例えば多重伝送系Ｎ２において、グループアドレスＧ１のグループ制御を行わせる操作スイッチ４が操作されると、この操作スイッチ４を監視する監視用端末器２が割込信号Ｖｉを発生する。中央制御装置１は、割込信号Ｖｉを発生した監視用端末器２から制御要求を監視データとして受け取り、割込信号Ｖｉを発生した監視用端末器２に対応する制御用端末器３へ制御データを伝送信号Ｖｓにより送出する。制御用端末器３は伝送信号Ｖｓを受信すると、伝送信号Ｖｓに含まれる制御データに基づいてグループＧ１の負荷５をオン又はオフするとともに、負荷５の動作状態を示す監視データを中央制御装置１へ返信させる。その後、中央制御装置１は、制御用端末器３から返送された監視データに基づいて対応する監視用端末器２へ、操作スイッチ４に付設している動作モニタ用のＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。
【００３０】
ここで、多重伝送系Ｎ２のＬＩＵ６は、監視用端末器２から中央制御装置１に出力される制御要求を監視しており、多重伝送送受信部６ｂが監視用端末器２から中央制御装置１に返信されたグループ制御の制御要求を受信すると、制御部６ａは、多重伝送送受信部６ｂの受信した制御要求を通信回路部６ｃからＮＣＵ１０へ送信させる。上述のようにＮＣＵ１０のメモリ１０ｅには、多重伝送系Ｎ１〜Ｎ３の相互の連動関係がグループ制御／パターン制御の制御アドレス毎に登録されており、通信回路部１０ｂが多重伝送系Ｎ２のＬＩＵ６から送信されたグループアドレスＧ１の制御要求を受け取ると、多重伝送系Ｎ２のグループアドレスＧ１に対して多重伝送系Ｎ１，Ｎ３のグループアドレスＧ１がそれぞれ連動するように設定されているので、制御部１０ａは、通信回路部１０ｂから多重伝送系Ｎ１，Ｎ３のＬＩＵ６に対してグループアドレスＧ１の連動制御データを送信する。連動関係が設定された多重伝送系Ｎ１，Ｎ３のＬＩＵ６では、ＮＣＵから送信されたグループアドレスＧ１の連動制御データを通信回路部６ｃが受信すると、制御部６ａが、多重伝送送受信部６ｂを用いて伝送線Ｌ１に対し割込信号Ｖｉを送出する。中央制御装置１は、各端末器２，３と同様の伝送手順を経て、割込信号Ｖｉを発生したＬＩＵ６からグループ制御の連動制御データを監視データとして受け取り、対応する制御用端末器３へ連動制御データを伝送信号Ｖｓにより送出する。制御用端末器３は伝送信号Ｖｓを受信すると、伝送信号Ｖｓに含まれる連動制御データに基づいてグループアドレスＧ１の負荷５をグループ制御するとともに、負荷５の動作状態を示す監視データを中央制御装置１へ返信させる。そして、中央制御装置１は制御用端末器３から返送された監視データに基づいて対応する監視用端末器２に対して操作スイッチ４に付設したＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。またＬＩＵ６では、多重伝送送受信部６ｂを用いて制御用端末器３から返信される監視データを監視しており、連動制御データに対する制御結果を受信すると、制御部６ａが、この制御結果を通信回路部６ｃからＮＣＵ１０に返信させ、ＮＣＵ１０のメモリ１０ｅに負荷５の動作状態が記憶される。
【００３１】
また本システムでは、複数の多重伝送系Ｎ１…の負荷５を１つのまとまりにした負荷群のグループ制御／パターン制御を行うための一括操作スイッチ１２を備えたＭＳＷ１１をローカルバスＬ２に接続してあり、ＭＳＷ１１の備える一括操作スイッチ１２を操作することによって、１台のＭＳＷ１１で複数の多重伝送系Ｎ１…にまたがる負荷群のオン／オフを制御することができる。例えばＭＳＷ１１が、多重伝送系Ｎ１〜Ｎ３のグループアドレスＧ１の負荷５をグループ制御するための一括操作スイッチ１２を備えている場合に、この一括操作スイッチ１２が操作されると、一括操作スイッチ１２からの操作入力がスイッチ入力監視部１１ｃを介して制御部１１ａに入力される。制御部１１ａは、この操作入力に基づいてグループＧ１のグループ制御を行わせる制御要求を作成して、通信回路部１１ｂからＮＣＵ１０に出力する。ＮＣＵ１０では、通信回路部１０ｂがＭＳＷ１１からの制御要求を受信すると、制御部１０ａが、受信した制御要求とメモリ１０ｅに記憶された連動関係のテーブルとをもとに、対応する多重伝送系Ｎ１〜Ｎ３のＬＩＵ６に対して通信回路部１０ｂから制御要求を送信させ、各多重伝送系Ｎ１〜Ｎ３においてグループアドレスＧ１のグループ制御を行わせるとともに、各ＬＩＵ６から返信されたグループ制御の制御結果を通信回路部１０ｂで受信し、メモリ１０ｅに記憶させる。
【００３２】
ここで、ＭＳＷ１１の制御部１１ａは、通信回路部１１ｂを用いてＮＣＵ１０とＬＩＵ６との間の通信をモニタすることによって、各多重伝送系Ｎ１〜Ｎ３の負荷５のオン／オフ状態を監視し、そのオン／オフ状態をメモリ１１ｅに記憶させるとともに、一括操作スイッチ１２に付設してある発光ダイオード１２ａを点灯又は消灯させることで、負荷５のオン状態又はオフ状態を表示している。
【００３３】
なお本実施形態では、多重伝送系Ｎ１〜Ｎ３の連動関係を制御アドレスの単位で設定しており、図５（ａ）（ｂ）に示す例では、ある多重伝送系の制御アドレスに対し、別の多重伝送系の同じアドレス番号の制御アドレスを連動させているが、図６（ａ）〜（ｄ）に示すように、ある多重伝送系の制御アドレスに対して、別の多重伝送系の異なるアドレス番号の制御アドレスを連動させるようにしても良い。
【００３４】
図６（ａ）は、各多重伝送系Ｎ１〜Ｎ３のグループアドレスＧ１，Ｇ２，Ｇ３についての連動関係を示しており、図中の枠で囲った範囲ａ１〜ａ３が連動動作を行う連動範囲を示している。例えばａ１の連動範囲は、多重伝送系Ｎ１のグループアドレスＧ１の操作、多重伝送系Ｎ２のグループアドレスＧ２の操作、或いは多重伝送系Ｎ２のグループアドレスＧ３の操作の内の何れかが行われると、範囲ａ１の他のグループアドレスの制御が連動して行われることを示している。また、図６（ｂ）に示す例では、図６（ａ）の連動範囲ａ１，ａ２が一部で重複するように連動範囲を設定してあり、多重伝送系Ｎ３でグループアドレスＧ２の操作が行われると、範囲ａ１で指定された多重伝送系Ｎ１のグループアドレスＧ１、多重伝送系Ｎ２のグループアドレスＧ３のグループ制御と、範囲ａ２で指定された多重伝送系Ｎ１，Ｎ２のグループアドレスＧ２のグループ制御とが連動して行われる。
【００３５】
ここで、グループ制御／パターン制御のアドレス番号は有限であるから、大規模なシステムではアドレス番号が足りなくなる場合があり、その場合は有限のアドレス番号を無駄なく使用するために、同一のエリア内に異なる多重伝送系の端末器を設置する状況が生じ得る。このような状況下では、同一のエリア内に設置された異なる多重伝送系の端末器を連動して動作させる場合があるが、連動する制御アドレスのアドレス番号を同一にするという制約があると、各々の多重伝送系Ｎ１…において制御アドレスを割り付ける際に連動関係を考慮にいれて割り付け作業を行わねばならず、アドレスの割り付け作業が容易ではない。それに対して、本実施形態ではアドレス単位で連動関係を設定しているので、異なるアドレス番号の制御アドレスを連動させるように連動関係を設定することができ、各々の多重伝送系Ｎ１…でアドレスを割り付ける際に連動関係を考慮する必要がないから、アドレスの割り付け作業が容易になるという利点もある。
【００３６】
また、個別のグループアドレスとしても使用する等の理由で、同じ多重伝送系で複数のグループ番号を１つのグループにまとめたグループアドレスを新たに設けることができない場合には、図６（ｃ）（ｄ）に示すようにＮＣＵ１０に、同じ多重伝送系で複数のグループアドレスが連動範囲に入るように連動関係を設定すれば良い。例えば図６（ｃ）に示す例では、多重伝送系Ｎ１のグループアドレスＧ１の操作、多重伝送系Ｎ２のグループアドレスＧ１，Ｇ２の操作、多重伝送系Ｎ３のグループアドレスＧ２，Ｇ３の操作の何れかが行われると、範囲ａ１で指定された多重伝送系Ｎ１のグループアドレスＧ１、多重伝送系Ｎ２のグループアドレスＧ１，Ｇ２、及び多重伝送系Ｎ３のグループアドレスＧ２，Ｇ３のグループ制御とが連動して行われる。また、図６（ｄ）に示す例では、図６（ｃ）の連動範囲ａ１，ａ２が一部で重複するように連動範囲を設定してあり、多重伝送系Ｎ３でグループアドレスＧ３の操作が行われると、範囲ａ１で指定された多重伝送系Ｎ１のグループアドレスＧ１、多重伝送系Ｎ２のグループアドレスＧ１，Ｇ２、多重伝送系Ｎ３のグループアドレスＧ２，Ｇ３のグループ制御と、範囲ａ２で指定された多重伝送系Ｎ１，Ｎ２のグループアドレスＧ３のグループ制御とが連動して行われる。
【００３７】
（実施形態２）
本発明の実施形態２を図７及び図８を参照して説明する。上述した実施形態１ではローカルバスＬ２に壁スイッチタイプのＭＳＷ１１を複数接続していたが、本実施形態では壁スイッチタイプのＭＳＷ１１の代わりに、パネル型のマスタスイッチ（以下、ＭＳＷと称す。）１３をローカルバスＬ２に接続している。尚、ＭＳＷ１３以外は実施形態１と同様であるので、共通する構成要素には同一の符号を付して、その説明は省略する。
【００３８】
図８はＭＳＷ１３のブロック図を示しており、ＭＳＷ１３は、制御部１３ａと、例えばＲＳ４８５に準拠した通信インターフェースからなりローカルバスＬ２を介してＮＣＵ１０との間で通信を行う送受信回路部１３ｂと、送受信回路部１３ｂの受信した信号をプロトコル変換して得た情報を制御部１３ａに出力するとともに、制御部１３ａからの情報をプロトコル変換して得た信号を送受信回路部１３ｂに出力する信号／情報変換処理部１３ｃと、複数の多重伝送系Ｎ１…の負荷５を１つのまとまりとした負荷群を一括して操作するための一括操作スイッチとしてのタッチスイッチを備えた表示パネル１３ｄと、制御部１３ａからの入力信号に応じて表示パネル１３ｄの表示を制御し、負荷５の動作状態を表示パネル１３ｄに表示させるパネル出力回路部１３ｅと、表示パネル１３ｄからのタッチスイッチの操作入力を監視して、操作入力を制御部１３ａに出力するパネル入力回路部１３ｆと、負荷５のオン／オフ状態を一時的に記憶する一時メモリ１３ｇと、多重伝送系Ｎ１…のグループアドレスの連動関係やローカルバスＬ２に接続されているＬＩＵ６の接続情報を記憶する不揮発性メモリ１３ｈと、演算プログラムを格納する不揮発性メモリ１３ｉと、を持ち運び可能な大きさの器体１４に収納して構成される。
【００３９】
次に本システムの動作を以下に簡単に説明する。尚、ＭＳＷ１３を用いた連動制御以外は実施形態１と同様であるので、その説明は省略し、ＭＳＷ１３を用いた連動制御についてのみ説明を行う。
【００４０】
ＭＳＷ１３の表示パネル１３ｄに設けたタッチスイッチ（図示せず）を押し操作すると、タッチスイッチの操作入力がパネル入力回路部１３ｆを介して制御部１３ａに入力される。制御部１３ａは、この操作入力をもとに制御要求を生成して、信号／情報変換処理部１３ｃに出力しており、信号／情報変換処理部１３ｃでプロトコル変換され、送受信回路部１３ｂからＮＣＵ１０に送出される。ＮＣＵ１０では、通信回路部１０ｂがＭＳＷ１３から送信された制御要求を受信すると、制御部１０ａが、受信した制御要求とメモリ１０ｅに登録された連動関係のテーブルとをもとに、通信回路部１０ｂから対応する多重伝送系Ｎ１…のＬＩＵ６に連動制御データを送出させ、各多重伝送系Ｎ１…において対応する負荷５の連動制御を行わせる。各多重伝送系Ｎ１…のＬＩＵ６では、多重伝送送受信部６ｂを用いて制御用端末器３から返信される監視データを監視しており、連動制御データに対する制御結果を受信すると、制御部６ａが、この制御結果を通信回路部６ｃからＮＣＵ１０に返信させ、ＮＣＵ１０のメモリ１０ｅに負荷５の動作状態が記憶される。ここで、ＭＳＷ１３では、ＮＣＵ１０と各多重伝送系Ｎ１…のＬＩＵ６との間の通信を監視することによって負荷５のオン／オフ状態を検出して、一時メモリ１３ｇに記憶させるとともに、パネル出力回路部１３ｅを用いて負荷５のオン／オフ状態を表示パネル１３ｄに表示させており、表示パネル１３ｄの表示から各多重伝送系Ｎ１…の負荷５の動作を容易に把握できる。
【００４１】
このように、ＭＳＷ１３を用いて、複数の多重伝送系Ｎ１…の負荷５の制御を行うことができ、また各多重伝送系Ｎ１…の負荷５のオン／オフ状態の把握も可能になる。また、ＭＳＷ１３の器体１４は持ち運び可能な大きさに形成してあり、ＭＳＷ１３をＬＩＵ６の設置場所に持ち運んで、器体１４に設けたローカルバスＬ２の信号線を接続するねじ端子（図示せず）に、接続ケーブルの一端を接続するとともに、この接続ケーブルの他端を、ＬＩＵ６のねじ端子や、ＬＩＵ６が設置されている盤内の端子台のねじ端子にねじ止めしたり、ワニ口クリップで接続することによって、ローカルバスＬ２に接続することによって、このＭＳＷ１３を所望の場所に移動させて使用することもでき、ＭＳＷ１３を利用して保守点検を行うこともできる。
【００４２】
（実施形態３）
本発明の実施形態３を図９及び図１０を参照して説明する。本実施形態では、実施形態１又は２で説明した遠隔監視制御システムにおいてＮＣＵ１０の代わりに、ＮＣＵの機能を有するパネル型のマスタスイッチ（以下、ＭＳＷと称す。）１５を用いている。つまり、実施形態１又は２で説明したＮＣＵ１０に、実施形態２で説明したパネル型のマスタスイッチＭＳＷ１３の機能を付加している。尚、ＭＳＷ１５以外の構成は実施形態１又は２と同様であるので、共通する構成要素には同一の符号を付して、その説明は省略する。
【００４３】
ＭＳＷ１５は、図１０に示すように、制御部１５ａと、例えばＲＳ４８５に準拠した通信インターフェースからなりローカルバスＬ２を介してＬＩＵ６との間で通信を行う通信回路部１５ｂと、例えばＲＳ２３２Ｃに準拠した通信インターフェースからなり上位のホスト機器２０との間で通信を行う通信回路部１５ｃと、連動関係を設定する設定器４０との間で通信を行う通信回路部１５ｄと、多重伝送系Ｎ１…の連動関係をグループ制御／パターン制御の制御アドレスの単位で設定したテーブルや各多重伝送系Ｎ１…の負荷５の動作状態や動作プログラムなどを記憶するメモリ１５ｅと、複数の多重伝送系Ｎ１…の負荷５を１つのまとまりとした負荷群を一括して操作するための一括操作スイッチとしてのタッチスイッチを備えた表示パネル１５ｆと、制御部１５ａからの入力信号に応じて表示パネル１５ｆの表示を制御し、負荷５の動作状態を表示パネル１５ｆに表示させるパネル出力回路部１５ｇと、表示パネル１５ｆからのタッチスイッチの操作入力を監視して、操作入力を制御部１５ａに出力するパネル入力回路部１５ｈとで構成される。
【００４４】
次に本システムの動作について簡単に説明する。なお、各多重伝送系Ｎ１…の動作は従来技術で説明した動作と同様であり、また各多重伝送系Ｎ１…のＬＩＵ６からの制御要求を受信して、連動関係が設定された多重伝送系Ｎ１…の負荷５を連動動作させるＭＳＷ１５のＮＣＵ機能は実施形態１と同様であるので、その説明は省略し、ＭＳＷ１５の表示パネル１５ｆに設けたタッチスイッチ（図示せず）を操作して、各多重伝送系Ｎ１…の負荷５を連動制御する動作について説明を行う。
【００４５】
ＭＳＷ１５の表示パネル１５ｆに設けたタッチスイッチ（図示せず）を押し操作すると、タッチスイッチの操作入力がパネル入力回路部１５ｈを介して制御部１５ａに入力される。制御部１５ａは、この操作入力をもとに複数の多重伝送系Ｎ１…の負荷５を連動動作させる連動制御データを生成して、通信回路部１５ｂから対応する多重伝送系Ｎ１…のＬＩＵ６に制御要求を出力しており、各多重伝送系Ｎ１…において対応する負荷５の連動制御が行われる。各多重伝送系Ｎ１…のＬＩＵ６では、多重伝送送受信部６ｂを用いて制御用端末器３から返信される監視データを監視しており、連動制御データに対する制御結果を受信すると、制御部６ａが、この制御結果を通信回路部６ｃからＭＳＷ１５に返信させ、ＭＳＷ１５ではメモリ１５ｅに負荷５の動作状態が記憶される。ここで、ＭＳＷ１５では、制御部１５ａが、メモリ１５ｅに蓄積された負荷５のオン／オフ状態をもとに、パネル出力回路部１５ｇを用いて負荷５のオン／オフ状態を表示パネル１５ｆに表示させており、表示パネル１５ｆの表示から各多重伝送系Ｎ１…の負荷５の動作を容易に把握できる。
【００４６】
このように、ＭＳＷ１５を用いて、各多重伝送系Ｎ１…の負荷５の制御を行うことができ、また各多重伝送系Ｎ１…の負荷５のオン／オフ状態の把握も可能になる。
【００４７】
（実施形態４）
本発明の実施形態４を図１１及び図１２を参照して説明する。本実施形態では、実施形態１で説明した遠隔監視制御システムにおいてＬＩＵ６の代わりに、ＮＣＵの機能を有するローカル制御装置（以下、ＬＩＵと称す。）７を各多重伝送系Ｎ１〜Ｎ３に設け、多重伝送系Ｎ１のＬＩＵ７ではＮＣＵ機能を有効状態としてネットワークの親機とし、他の多重伝送系Ｎ２，Ｎ３のＬＩＵ７ではＮＣＵ機能を無効状態にしてネットワークの子機としている。そして、親機のＬＩＵ７が属する多重伝送系Ｎ１の中央制御装置１に、監視用端末器２と同様の機能を有し、一括操作スイッチ８ａの操作入力を監視するマスタスイッチ（以下、ＭＳＷと称す。）８と、ダミーの制御用端末器９とを伝送線Ｌ１を介して接続してある。尚、ＬＩＵ７、ＭＳＷ８及び制御用端末器９以外の構成は実施形態１と同様であるので、共通する構成要素には同一の符号を付して、その説明は省略する。
【００４８】
ＬＩＵ７は、図１２に示すように、第１又は第２通信制御部としての制御部７ａと、伝送線Ｌ１を介して中央制御装置１との間で多重伝送通信を行う多重伝送送受信部（多重伝送通信部）７ｄと、例えばＲＳ４８５に準拠した通信インターフェースからなりローカルバスＬ２を介して他のＬＩＵ７との間で通信を行う通信回路部（ネットワーク通信部）７ｅと、例えばＲＳ２３２Ｃに準拠した通信インターフェースからなり上位のホスト機器２０との間で通信を行う通信回路部７ｆと、連動関係を設定する設定器４０との間で通信を行う通信回路部７ｇと、多重伝送系Ｎ１…の連動関係をグループ制御／パターン制御の制御アドレス単位で設定したテーブルや、多重伝送系Ｎ１…の負荷５の動作状態を記憶するメモリ７ｈと、ＮＣＵ処理部７ｂをオン／オフすることで親機又は子機に切り替えるディップスイッチなどの切替スイッチ７ｉとで構成される。また、制御部７は例えばマイクロコンピュータからなり、実施形態１で説明したＮＣＵ１０としての処理を行うＮＣＵ処理部７ｂと、ＬＩＵ６としての処理を行うＬＩＵ処理部７ｃとを備え、これらのＮＣＵ処理部７ｂ及びＬＩＵ処理部７ｃは制御部７ａの演算機能によって構成される。
【００４９】
次に本システムの動作について簡単に説明する。なお、各多重伝送系Ｎ１…の動作は従来技術で説明した多重伝送系Ｎ１…の動作と同様であるので、その説明は省略し、多重伝送系Ｎ１…の連動動作について説明を行う。ここで、ＮＣＵ１０には図５（ａ）に示すような連動関係が設定されているものとする。
【００５０】
例えば多重伝送系Ｎ２において、グループアドレスＧ１のグループ制御を行うための操作スイッチ４が操作されて、この操作スイッチ４を監視する監視用端末器２が割込信号Ｖｉが発生すると、中央制御装置１が、割込信号Ｖｉを発生した監視用端末器２から制御要求を監視データとして受け取り、割込信号Ｖｉを発生した監視用端末器２に対応する制御用端末器３へ制御データを伝送信号Ｖｓにより送出する。制御用端末器３は伝送信号Ｖｓを受信すると、伝送信号Ｖｓに含まれる制御データに基づいてグループアドレスＧ１の負荷５をオン又はオフするとともに、負荷５の動作状態を示す監視データを中央制御装置１へ返信させる。その後、中央制御装置１は、制御用端末器３から返送された監視データに基づいて対応する監視用端末器２へ、操作スイッチ４に付設した動作モニタ用のＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。
【００５１】
ここで、多重伝送系Ｎ２のＬＩＵ７（子機のＬＩＵ）では、多重伝送送受信部７ｄを用いて監視用端末器２から中央制御装置１に出力される制御要求を監視しており、多重伝送送受信部７が監視用端末器２から送信されたグループ制御の制御要求を受信すると、第２通信制御部たる制御部７ａのＬＩＵ処理部７ｃが、通信回路部７ｅから親機である多重伝送系Ｎ１のＬＩＵ７に監視用端末器２からの制御要求を連動制御データとして送信させる。
【００５２】
親機のＬＩＵ７では、メモリ７ｈに多重伝送系Ｎ１〜Ｎ３の相互の連動関係がグループ制御／パターン制御の制御アドレス単位で設定されており、通信回路部７ｅが、多重伝送系Ｎ２のＬＩＵ７から送信された連動制御データを受信すると、多重伝送系Ｎ２のグループアドレスＧ１に対して多重伝送系Ｎ１，Ｎ３のグループアドレスＧ１がそれぞれ連動するように設定されているので、第１通信制御部たる制御部７ａのＮＣＵ処理部７ｂが、通信回路部１０ｂから多重伝送系Ｎ３のＬＩＵ７に対してグループ制御の制御要求（グループアドレスＧ１）を送信するとともに、多重伝送送受信部７ｄからグループ制御の制御要求（アドレス番号Ｇ１）を多重伝送信号の信号返送期間に監視データとして中央制御装置１へ返送させる。
【００５３】
この時、連動関係が設定された多重伝送系Ｎ３のＬＩＵ７では、通信回路部７ｅがグループアドレスＧ１のグループ制御を行う制御要求を親機のＬＩＵ７から受信すると、第１通信制御部たる制御部７ａのＬＩＵ処理部７ｃが、多重伝送送受信部７ｄを用いて伝送線Ｌ１に対し割込信号Ｖｉを送出させる。中央制御装置１は、上述と同様の伝送手順を経て割込信号Ｖｉを発生したＬＩＵ７から連動制御データ（グループアドレスＧ１）を監視データとして受け取り、対応する制御用端末器３へ連動制御データを伝送信号Ｖｓにより送出する。制御用端末器３は伝送信号Ｖｓを受信すると、伝送信号Ｖｓに含まれる連動制御データに基づいてグループアドレスＧ１の負荷５を制御するとともに、負荷５の動作状態を示す監視データを中央制御装置１へ返信させる。そして、中央制御装置１は制御用端末器３から返送された監視データに基づいて対応する監視用端末器２に対して操作スイッチ４に付設した動作モニタ用のＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。ここで、ＬＩＵ７では、多重伝送送受信部７ｄを用いて制御用端末器３から返信される監視データを監視しており、連動制御データに対する制御結果を受信すると、制御部７ａのＬＩＵ処理部７ｃが、この制御結果を通信回路部７ｅから親機のＬＩＵ７に返信させ、親機のＬＩＵ７ではメモリ７ｈに負荷５の動作状態を記憶させる。
【００５４】
また、本実施形態では親機のＬＩＵ７が属する多重伝送系Ｎ１に監視用端末器としてのＭＳＷ８を設けており、このＭＳＷ８の一括操作スイッチ８ａを用いて、複数の多重伝送系の負荷５を１まとめにした負荷群のオン／オフ操作を行うことができる。以下にその動作を説明する。
【００５５】
ＭＳＷ８は監視用端末器２と同様の構成を有し、一括操作スイッチ８ａの操作入力を監視しており、一括操作スイッチ８ａが操作されると、ＭＳＷ８から、一括操作スイッチ８ａの操作データが、伝送信号Ｖｓに設けた返信待機期間中に、監視データとして中央制御装置１へ返信される。この時、多重伝送系Ｎ１のＬＩＵ７では、多重伝送送受信部７ｄがこの操作データを受信して制御部７ａに出力し、制御部７ａのＮＣＵ処理部７ｂが、メモリ７ｈに記憶されたテーブルをもとに連動関係が設定された制御アドレスを連動制御データとして、対応する多重伝送系Ｎ２…のＬＩＵ７に通信回路部７ｅから送信させ、対応する多重伝送系Ｎ２…で所望の負荷５を連動動作させる。また一括操作スイッチ８ａの操作データにより、親機の属する多重伝送系Ｎ１の負荷５を連動動作させる場合は、制御部７ａが、多重伝送送受信部７ｄを用いて上記連動制御データを伝送信号Ｖｓに設けた信号返送期間に監視データとして中央制御装置１に返信させ、上述の伝送手順を経て、対応する制御用端末器３に制御データが送出されて、負荷５が連動制御される。
【００５６】
その後、対応する多重伝送系Ｎ２…のＬＩＵ７は、連動対象の負荷５を制御する制御用端末器３と中央制御装置１との間の通信を監視することによって、制御用端末器３から中央制御装置１に返信される制御結果を受け取ると、受け取った制御結果を親機である多重伝送系Ｎ１のＬＩＵ７に送信させ、多重伝送系Ｎ１のＬＩＵ７では、通信回路部７ｅが多重伝送系Ｎ２…のＬＩＵ７から返信される制御結果を受信すると、受信した制御結果を制御部７ａがメモリ７ｈに記憶させる。また、多重伝送系Ｎ１のＬＩＵ７は、多重伝送送受信部７ｄを用いて多重伝送系Ｎ１の制御用端末器３と中央制御装置１との間の通信を監視することによって、制御用端末器３から中央制御装置１に返信される制御結果を受信し、受信した制御結果を制御部７ａがメモリ７ｈに記憶させており、連動対象の負荷５の動作状態がメモリ７ｈに記憶される。
【００５７】
そして、制御部７ａでは、メモリ７ｈに記憶された各多重伝送系Ｎ１…の負荷５の制御状態をもとに、連動対象の負荷５の動作状態を監視しており、連動対象の負荷５の動作状態をＭＳＷ８の動作表示灯の表示に反映させるために、ダミーの制御用端末器４に対する制御要求を伝送信号Ｖｓに設けた信号返送期間に監視データとして中央制御装置１に返信させる。中央制御装置１は、この制御要求に基づいて作成した制御アドレスをダミーの制御用端末器３に送信し、当該制御アドレスに対する制御結果を監視データとして制御用端末器３から受信すると、一括操作スイッチ８ａの接続されたＭＳＷ８に対して、負荷群の動作表示を行わせるための制御データを送信しており、この制御データを受信したＭＳＷは、一括操作スイッチ８ａに付設した発光ダイオードを点灯又は消灯させることで上記負荷群のオン状態／オフ状態を表示している。
【００５８】
このように、本実施形態ではＬＩＵ７にＮＣＵの機能を持たせており、機能切替スイッチ７ｉの切替操作によってＮＣＵ処理部７ｂをオン／オフすることで、ネットワークの親機又は子機として動作させることができ、実施形態１〜３のようにＬＩＵ７とは別にＮＣＵを設ける必要が無いから、ＮＣＵを無くすことで商品の品種が減り、品番管理や部材管理の手間を少なくできる。また、親機のＬＩＵ７が属する多重伝送系Ｎ１にＭＳＷ８を設け、このＭＳＷ８の一括操作スイッチ８ａを操作することで、複数の多重伝送系Ｎ１…にまたがる負荷５を一括して操作することができ、またその動作結果を一括操作スイッチ８ａに付設した動作モニタ用のＬＥＤの表示に反映させることで、その動作結果を容易に把握できる。
【００５９】
【発明の効果】
上述のように、請求項１の発明は、中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築するとともに、通信線を介してローカル制御装置との間で通信を行う通信回路部を備えたネットワークコントローラを通信線に接続し、前記ローカル制御装置に、多重伝送通信部を用いて当該ローカル制御装置の属する多重伝送系の監視用端末器から中央制御装置へ送信される操作データを受信すると、受信した操作データをネットワーク通信部からネットワークコントローラへ送信させるとともに、ネットワーク通信部を用いてネットワークコントローラから送信された連動制御データを受信すると、受信した連動制御データを多重伝送信号に設けた返信待機期間中に監視データとして中央制御装置へ返信させる第１通信制御部を設け、前記ネットワークコントローラに、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部が何れかの多重伝送系のローカル制御装置から操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とし、複数の多重伝送系の負荷を連動して動作させる際に、制御アドレスの単位で連動関係を規定したテーブルをネットワークコントローラの記憶部に記憶させているので、多重伝送系の単位で連動関係を設定する場合に比べて、連動する負荷の組み合わせをさらに細かく設定でき、連動のパターンを増やすことができる。
【００６０】
請求項２の発明は、中央制御装置と、複数の監視用端末器及び制御用端末器とを１対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築し、何れか１つの多重伝送系のローカル制御装置をネットワークの親機、他の多重伝送系のローカル制御装置をネットワークの子機として、子機のローカル制御装置には、多重伝送通信部を用いて当該ローカル制御装置の属する多重伝送系の監視用端末器から中央制御装置へ送信される操作データを受信すると、受信した操作データをネットワーク通信部から親機のローカル制御装置へ送信させるとともに、ネットワーク通信部を用いて親機のローカル制御装置から送信された連動制御データを受信すると、受信した連動制御データを多重伝送信号に設けた返信待機期間中に監視データとして中央制御装置へ返信させる第１通信制御部を設け、親機のローカル制御装置には、一斉に複数の負荷を制御するグループ制御、及び、組み合わせた負荷を制御するパターン制御の制御アドレス単位で各多重伝送系の連動関係を設定したテーブルが登録された記憶部を設けるとともに、通信回路部及び多重伝送通信部が操作データを受信すると、記憶部に記憶されたテーブルをもとに連動関係が設定された制御アドレスを前記連動制御データとして対応する多重伝送系のローカル制御装置に通信回路部から送信させる第２通信制御部を設けて成ることを特徴とし、複数の多重伝送系の負荷を連動して動作させる際に、制御アドレスの単位で連動関係を規定したテーブルを親機のローカル制御装置の記憶部に記憶させているので、多重伝送系の単位で連動関係を設定する場合に比べて、連動する負荷の組み合わせをさらに細かく設定でき、連動のパターンを増やすことができる。そのうえ、各多重伝送系に設けたローカル制御装置の内の１台をネットワークの親機とすることによって、ローカル制御装置の間の通信を制御するネットワークコントローラを別途設ける必要が無く、ネットワークコントローラを無くすことで商品の品種が減り、品番管理や部材管理の手間を少なくできる。
【００６１】
請求項３の発明は、請求項１の発明において、通信線を介してネットワークコントローラとの間で通信を行う通信部と、複数の多重伝送系の負荷を１つのまとまりとした負荷群を一括して操作するための一括操作スイッチと、前記負荷群の動作表示用の動作表示部と、前記一括操作スイッチの操作データを通信部からネットワークコントローラへ送信させるとともに、通信部がネットワークコントローラから受信した前記負荷群の動作状態を動作表示部に表示させる制御部と、を具備したマスタスイッチを通信線に接続して成ることを特徴とし、一括操作スイッチを用いて複数の多重伝送系にまたがる負荷群をまとめて制御することができ、また動作表示部により複数の多重伝送系にまたがった負荷群の動作状態を確認できるという効果がある。
【００６２】
請求項４の発明は、請求項１の発明において、複数の多重伝送系の負荷を１つのまとまりとした負荷群を一括して操作するためのタッチスイッチが設けられ、画面上に前記負荷群の動作状態を表示するタッチパネルをネットワークコントローラに設けて成ることを特徴とし、タッチスイッチを用いて複数の多重伝送系にまたがる負荷群をまとめて制御することができ、またタッチパネルにより複数の多重伝送系にまたがった負荷群の動作状態を確認できるという効果がある。
【００６３】
請求項５の発明は、請求項２の発明において、親機のローカル制御装置が属する多重伝送系に、複数の多重伝送系の負荷を１つのまとまりとした負荷群を一括して操作するための一括操作スイッチの操作入力を監視する監視用端末器を設けるとともに、該監視用端末器とアドレスが対応付けられたダミーの制御用端末器を設け、一括操作スイッチの接続された監視用端末器から、一括操作スイッチの操作データが、多重伝送信号に設けた返信待機期間中に、監視データとして中央制御装置へ返信されると、親機のローカル制御装置では、多重伝送通信部がこの操作データを受信し、記憶部に記憶されたテーブルをもとに連動関係が設定された制御アドレスを前記連動制御データとして対応する多重伝送系のローカル制御装置に通信回路部から送信させ、さらに子機のローカル制御装置から前記連動制御データに対する制御結果を受信すると、前記負荷群の動作状況に応じてダミーの制御用端末器に対する制御要求を多重伝送信号に設けた返信待機期間中に監視データとして中央制御装置へ返信させ、中央制御装置は、この制御要求に基づいて作成した制御アドレスをダミーの制御用端末器に送信し、当該制御アドレスに対する制御結果を監視データとして制御用端末器から受信すると、一括操作スイッチの接続された監視用端末器に対して、負荷群の動作表示を行わせるための制御データを送信することを特徴とし、一括操作スイッチを用いて複数の多重伝送系の負荷群をまとめて制御することができ、さらに一括操作スイッチの接続された監視用端末器で負荷群の動作表示を行えるという効果がある。
【００６４】
請求項６の発明は、請求項１乃至５の何れか１つの発明において、上記記憶部には、連動する制御アドレスのアドレス番号として異なるアドレス番号を設定可能としたことを特徴とし、ある多重伝送系の制御アドレスに対して、別の多重伝送系の異なるアドレス番号の制御アドレスを連動させることができるから、各多重伝送系において、連動関係を考慮することなく、アドレスの設定作業を行うことができ、アドレスの設定作業を容易に行えるという効果がある。
【図面の簡単な説明】
【図１】実施形態１の遠隔監視制御システムの概略構成図である。
【図２】同上のローカル制御装置のブロック図である。
【図３】同上のネットワークコントローラのブロック図である。
【図４】同上の壁スイッチタイプのマスタスイッチのブロック図である。
【図５】（ａ）（ｂ）は同上の連動関係の設定を説明する図である。
【図６】（ａ）〜（ｄ）は同上の連動関係の設定を説明する図である。
【図７】実施形態２の遠隔監視制御システムの概略構成図である。
【図８】同上のパネルタイプのマスタスイッチのブロック図である。
【図９】実施形態３の遠隔監視制御システムの概略構成図である。
【図１０】同上のＮＣＵ機能付きのマスタスイッチのブロック図である。
【図１１】実施形態４の遠隔監視制御システムの概略構成図である。
【図１２】同上のＮＣＵ機能付きのＬＩＵのブロック図である。
【図１３】従来の遠隔監視制御システムの概略構成図である。
【図１４】（ａ）（ｂ）は同上に用いる伝送信号の説明図である。
【図１５】従来の別の遠隔監視制御システムの概略構成図である。
【図１６】（ａ）〜（ｃ）は同上の連動関係の設定を説明する図である。
【図１７】同上の動作を説明する説明図である。
【符号の説明】
１    中央制御装置
２    監視用端末器
６    ＬＩＵ
１０  ＮＣＵ
Ｌ２  ローカルバス
Ｎ１…  多重伝送系
【図１】
2004295432.tif 000003
【図２】
2004295432.tif 000004
【図３】
2004295432.tif 000005
【図４】
2004295432.tif 000006
【図５】
2004295432.tif 000007
【図６】
2004295432.tif 000008
【図７】
2004295432.tif 000009
【図８】
2004295432.tif 000010
【図９】
2004295432.tif 000011
【図１０】
2004295432.tif 000012
【図１１】
2004295432.tif 000013
【図１２】
2004295432.tif 000014
【図１３】
2004295432.tif 000015
【図１４】
2004295432.tif 000016
【図１５】
2004295432.tif 000017
【図１６】
2004295432.tif 000018
【図１７】
2004295432.tif 000019